(57)【要約】【課題】安価な構成で、アスペクト比が小さい受光素子を使用してもバーコードを正確に読み取れるバーコード読取装置に用いられる読み取り用レンズ及びその読み取り用レンズ系を提供すること。【解決手段】主方向非点収差量ＡＳＹはＡＳＹ≒０なので（ｃ）、バーコードＢの主方向Ｍの像は受光素子２面上でほぼ結像する（ａ）。一方、副方向非点収差量ＡＳＸはＡＳＸ＝−５．１２なので（ｃ）、バーコードＢの副方向Ｎの像は受光素子２の手前略５．１２ｍｍで結像した後、拡散し受光素子２に写される（ｂ）。よって、主方向Ｍは焦点の合った像が、副方向Ｎは焦点のずれた像が、受光素子２に写る。従って、バーコードＢの副方向Ｎにおけるかすれ等Ｋの悪影響を補って、バーコードＢを正確に読み取ることができる。尚、焦点距離ＥＦＬはＥＦＬ＝１４．４なので（表１）、ＡＳＸ／ＥＦＬ＝−０．３５５＜−０．１５の関係を有する。【選択図】        図１
2005018306.tif 000002
【特許請求の範囲】
【請求項１】
バーコード読取装置に用いられる読み取り用レンズにおいて、
前記レンズは、少なくとも１面が回転非対称非球面で構成されると共に、下記条件式（１）または（２）を、前記レンズの中心部から周辺部にかけて満足するものであることを特徴とする読み取り用レンズ。
条件式
（１）∞＞ＡＳＸ／ＥＦＬ＞０．１，ＡＳＹ≒０
（２）−∞＜ＡＳＸ／ＥＦＬ＜−０．１５，ＡＳＹ≒０
但し、ＡＳＸは、副方向非点収差量であり、ＡＳＹは、主方向非点収差量であり、ＥＦＬは、焦点距離である。
【請求項２】
前記回転非対称非球面を有するレンズは、１枚のガラスレンズまたはプラスチックレンズから構成されていることを特徴とする請求項１記載の読取り用レンズ。
【請求項３】
前記回転非対称非球面は、ガラスレンズの表面に透明材料による回転非対称非球面層を接合して形成されることを特徴とする請求項１記載の読取り用レンズ。
【請求項４】
絞りと、読み取り用レンズと、受光素子との順にバーコード側より配置されて構成されるバーコード読取装置に用いられる読み取り用レンズ系において、
前記レンズは、前記受光素子側の面が回転非対称非球面で構成されると共に、下記条件式（１）または（２）を、前記レンズの中心部から周辺部にかけて満足するものであることを特徴とする読み取り用レンズ系。
条件式
（１）∞＞ＡＳＸ／ＥＦＬ＞０．１，ＡＳＹ≒０
（２）−∞＜ＡＳＸ／ＥＦＬ＜−０．１５，ＡＳＹ≒０
但し、ＡＳＸは、副方向非点収差量であり、ＡＳＹは、主方向非点収差量であり、ＥＦＬは、焦点距離である。
【発明の詳細な説明】
【０００１】
【発明の属する技術分野】本発明は、バーコード読取装置に用いられる読み取り用レンズ及びその読み取り用レンズ系に関するものである。
【０００２】
【従来の技術】バーコードの読み取りに使用される光学的センサは、リニアに受光素子が並んでいるが、各受光素子のアスペクト比、すなわち各受光素子の縦寸法と横寸法との比（縦寸法／横寸法）が２００／１４（＞１４）と大きいので、図８（ａ）に示すように、バーコードＢにかすれや欠け、傷あるいは汚れ（以下「かすれ等Ｋ」と称す）があっても、読み取り誤差を生じ難い。即ち、バーコードＢの縦方向（バーの高さ方向）Ｎを広範囲に読み取るので、バーの一部分にかすれ等Ｋがあっても、その影響を打ち消して読み取り誤差をなくすからである。
【０００３】
一方、アスペクト比の大きい受光素子は、アスペクト比の小さい受光素子より高額なので、アスペクト比の小さい受光素子を使用できる読み取り用レンズ系が望まれている。しかし、かかるアスペクト比の小さい受光素子を用いてバーコードＢを読み取ると、その読み取り範囲が縦方向Ｎに短く設定される結果、受光素子には、図８（ｂ）に示すように受像され、かすれ等Ｋの影響でバーコードＢを正確に読み取ることができない。
【０００４】
これに対し、特許第２７７４８９２号公報（特許文献１）には、集光レンズ（読み取り用レンズ）に加えて、円筒状レンズ体（シリンダーレンズ）を用いた発明が記載されている。該発明は、バーコードのバーと直交する方向（本願の図８（ａ）におけるＭ方向）では、バーコードから来る光は円筒状レンズ体の軸方向にほとんど屈折されず結像し、バーコードのバー方向（本願の図８（ａ）におけるＮ方向）では、バーコードから来る光は円筒状レンズ体により屈折されて拡散し受光面上に結像するように構成して、バーコードの縦方向の欠陥（かすれ等）を補って、バーコードを正確に読み取るようにしたものである。
【０００５】
また、特許第３０７０４８４号公報（特許文献２）には、バーコードのバー方向（本願の図８（ａ）におけるＮ方向）にデフォーカスしてぼけを生じさせ、バーコードの縦方向（バー方向）のかすれ等を補って、バーコードを正確に読み取るようにした発明が記載されている。
【０００６】
更に、特許第２７２０６６７号公報（特許文献３）には、バーコードのバーと直交する方向（本願の図８（ａ）におけるＭ方向）の解像度を、バーコードのバー方向（本願の図８（ａ）におけるＮ方向）の解像度より高解像度にして、バーコードを正確に読み取るようにした発明が記載されている。
【０００７】
【特許文献１】特許第２７７４８９２号公報（段落００２０，図１６）
【０００８】
【特許文献２】特許第３０７０４８４号公報
【０００９】
【特許文献３】特許第２７２０６６７号公報
【００１０】
【発明が解決しようとする課題】しかしながら、上記特許文献１に記載の発明では、集光レンズ（読み取り用レンズ）のほかに円筒状レンズ体（シリンダーレンズ）を用いる分、装置コストがアップするという問題点がある。また、特許文献２に記載の発明では、ピントをずらして使用するので、絞りを暗くせざるを得ず、そのため高感度の受光素子が必要となり、装置コストがアップするという問題点がある。更に、特許文献３に記載の発明では、バー横方向（本願の図８（ａ）におけるＭ方向）とバー高さ方向（本願の図８（ａ）におけるＮ方向）との解像度の差は、特許文献３の図３に図示されるように、受光レンズ（読み取り用レンズ）の周辺部では大きいものの、中心部では略同一となっているので、かすれ等ＫがバーコードＢの中心部にある場合には、バーコードを正確に読み取ることができないという問題点がある。特に、かかる解像度の差は、受光レンズの中心部から周辺部にかけて一定でないので、かすれ等ＫがバーコードＢ上のどの位置にあるかによって読み取り結果が不安定なものとなるという問題点がある。
【００１１】
本発明は、上述した問題点を解決するためになされたものであり、安価な構成で、１単位の受光素子のアスペクト比の小さい受光素子を使用してもバーコードを正確に読み取ることができるバーコード読取装置に用いられる読み取り用レンズ及びその読み取り用レンズ系を提供することを目的としている。
【００１２】
【課題を解決するための手段】この目的を達成するために請求項１記載のバーコード読取装置に用いられる読み取り用レンズは、少なくとも１面が回転非対称非球面で構成されると共に、下記条件式（１）または（２）を、前記レンズの中心部から周辺部にかけて満足するものである。
条件式
（１）∞＞ＡＳＸ／ＥＦＬ＞０．１，ＡＳＹ≒０
（２）−∞＜ＡＳＸ／ＥＦＬ＜−０．１５，ＡＳＹ≒０
但し、ＡＳＸは、副方向非点収差量であり、ＡＳＹは、主方向非点収差量であり、ＥＦＬは、焦点距離である。
【００１３】
この請求項１記載の読み取り用レンズによれば、条件式（１）を満たす場合には、バーコードの主方向（バーと直交する方向）の焦点位置は受光素子の位置に合った状態で、バーコードの副方向（バー方向）の焦点位置が受光素子の後方へずれる。一方、条件式（２）を満たす場合には、バーコードの主方向の焦点位置は受光素子の位置に合った状態で、バーコードの副方向の焦点位置が受光素子の前方（読み取り用レンズ側）へずれる。この焦点位置の関係は、読み取り用レンズの中心部から周辺部にかけて満足されるので、バーコードの副方向のかすれ等の影響を補って、バーコードを正確に読み取ることができる。
【００１４】
請求項２記載の読み取り用レンズは、請求項１記載の読み取り用レンズにおいて、前記回転非対称非球面を有するレンズは、１枚のガラスレンズまたはプラスチックレンズから構成されている。
【００１５】
請求項３記載の読み取り用レンズは、請求項１記載の読み取り用レンズにおいて、前記回転非対称非球面は、ガラスレンズの表面に透明材料による回転非対称非球面層を接合して形成されるものである。
【００１６】
請求項４記載のバーコード読取装置に用いられる読み取り用レンズ系は、絞りと、読み取り用レンズと、受光素子との順にバーコード側より配置され、前記レンズは、前記受光素子側の面が回転非対称非球面で構成されると共に、下記条件式（１）または（２）を、前記レンズの中心部から周辺部にかけて満足するものであることを特徴とする読み取り用レンズ系。
条件式
（１）∞＞ＡＳＸ／ＥＦＬ＞０．１，ＡＳＹ≒０
（２）−∞＜ＡＳＸ／ＥＦＬ＜−０．１５，ＡＳＹ≒０
但し、ＡＳＸは、副方向非点収差量であり、ＡＳＹは、主方向非点収差量であり、ＥＦＬは、焦点距離である。
【００１７】
この請求項４記載の読み取り用レンズ系によれば、条件式（１）を満たす場合には、バーコードの主方向（バーと直交する方向）の焦点位置は受光素子の位置に合った状態で、バーコードの副方向（バー方向）の焦点位置が受光素子の後方へずれる。一方、条件式（２）を満たす場合には、バーコードの主方向の焦点位置は受光素子の位置に合った状態で、バーコードの副方向の焦点位置が受光素子の前方（読み取り用レンズ側）へずれる。この焦点位置の関係は、読み取り用レンズの中心部から周辺部にかけて満足されるので、バーコードの副方向のかすれ等の影響を補って、バーコードを正確に読み取ることができる。
【００１８】
【発明の効果】本発明の読み取り用レンズ及びその読み取り用レンズ系によれば、回転非対称非球面を有する１枚の読み取り用レンズによって、バーコードの主方向（バーと直交する方向）の焦点位置は受光素子の位置に合わせた状態で、バーコードの副方向（バー方向）の焦点位置を受光素子の配設位置からずらしている。よって、バーコードの主方向を正確に読み取りつつ、バーコードの副方向の読み取りをぼかして、その副方向におけるかすれ等の悪影響を補うことができる。従って、各受光素子のアスペクト比が小さい（１単位の受光素子のアスペクト比の小さい）受光素子を使用しても、バーコードを正確に読み取ることができる。よって、複数枚のレンズを用いる場合や、ピントをずらし主方向の読み取り性能を確保するために絞りを暗くするが故に高感度の受光素子を用いざるを得ない場合に比べて、装置コストを低減することができるという効果がある。また、主方向及び副方向における焦点位置の関係は、読み取り用レンズの中心部から周辺部にかけて満足するので、かすれ等がバーコード上のどの位置にあっても、そのかすれ等の悪影響を補って、バーコードを正確に読み取ることができるという効果がある。
【００１９】
【発明の実施の形態】以下、本発明の好ましい実施例について、添付図面を参照して説明する。図１から図６に示すように、各実施例の読み取り用レンズ系は、バーコードＢ、開口絞り面ＳＴＯ、読み取り用レンズ１、受光素子２の順に配設されている。受光素子２は例えばＣＣＤで構成され、その各受光素子２は１４／１４〜５６／１４の小さいアスペクト比のものが使用されている。読み取り用レンズ１は、実施例１から５では、バーコードＢ側の面が球面ＳＲ、受光素子２側の面が回転非対称非球面ＸＹＰとされている。また、実施例６では、バーコードＢ側の面が回転対称非球面ＡＳＰ、受光素子２側の面が回転非対称非球面ＸＹＰとされている。
【００２０】
各実施例の表に記載される、ＥＦＬは焦点距離、ＦＮＯはＦナンバー、βは倍率である。バーコードＢ側から数えて第ｉ番目面（ｉは１から３の自然数）の曲率半径（非球面においては軸上曲率半径）をＲ、面間隔をＴＩＨ（単位はｍｍ）、開口絞り面をＳＴＯ（ｉ＝１）、波長５８７．５６ｎｍでの屈折率をＮｄ、アッベ数をνｄとする。
【００２１】
回転対称非球面ＡＳＰ（実施例６のみ）は、光軸上での頂点からの距離をＨ、そのＨの位置での非球面上での高さをＶ、光軸上での曲率半径をＲ、円錐係数をＫ、４次、６次の非球面係数をそれぞれＡ４、Ａ６とするとき、
【００２２】
【数１】
2005018306.tif 000003
なる式で与えられる曲線を光軸の回りに回転して得られる曲面である。
【００２３】
回転非対称非球面ＸＹＰは、光軸上での頂点からの距離をＷ（Ｗは（ｘ２＋ｙ２）の平方根である。なお、ｘおよびｙは、ｘｙ座標の座標点である。）とし、ｘｙ座標位置での非球面上での高さをｚ、光軸上での曲率をＣ（Ｃ＝１／Ｒ，Ｒは曲率半径）、円錐係数をＫ、非球面係数をＸ２、Ｙ２、Ｘ４、Ｙ４、Ｘ６、Ｙ６、Ｘ８、Ｙ８とするとき、
【００２４】
【数２】
2005018306.tif 000004
なる式で与えられる面が回転非対称非球面である。
【００２５】
表１に実施例１の読み取り用レンズ系を示すと共に、そのレンズ系のバーコードＢの主方向Ｍにおける構成図を図１（ａ）に、副方向Ｎにおける構成図を図１（ｂ）に、非点収差を図１（ｃ）に、それぞれ示す。
【００２６】
主方向非点収差量ＡＳＹはＡＳＹ≒０であるので（図１（ｃ）参照）、バーコードＢの主方向Ｍの像は受光素子２面上でほぼ結像する（図１（ａ）参照）。一方、副方向非点収差量ＡＳＸはＡＳＸ＝−５．１２であるので（図１（ｃ）参照）、バーコードＢの副方向Ｎの像は受光素子２の手前略５．１２ｍｍのポイントで結像した後、拡散し、受光素子２に写される（図１（ｂ）参照）。よって、主方向Ｍにおいては焦点の合った像が、副方向Ｎにおいては焦点のずれた像が、受光素子２に写される。なお、実施例１の焦点距離ＥＦＬはＥＦＬ＝１４．４１３７であるので（表１参照）、ＡＳＸ／ＥＦＬ＝−０．３５５であり、−∞＜ＡＳＸ／ＥＦＬ＜−０．１５の関係を有している。
【００２７】
【表１】
2005018306.tif 000005
図７（ａ）は、この実施例１の読み取り対象となるバーコードＢを示した図であり、かすれや欠け、傷あるいは汚れ（以下「かすれ等Ｋ」と称す）のあるバーコードＢが図示されている。このバーコードＢのうち、図７（ａ）に示す横長の矩形部分で示される範囲が、実施例１の読み取り用レンズ系にて読み取られると、図７（ｂ）に示す像が受光素子２に写される。この像が受光素子２によって読み取られるので、各受光素子のアスペクト比が小さい（１単位の受光素子のアスペクト比の小さい）受光素子２であっても、バーコードＢの副方向（バー方向）Ｎにおけるかすれ等Ｋの悪影響を補って、バーコードＢを正確に読み取ることができる。
【００２８】
表２に実施例２の読み取り用レンズ系を示すと共に、そのレンズ系のバーコードＢの主方向Ｍにおける構成図を図２（ａ）に、副方向Ｎにおける構成図を図２（ｂ）に、非点収差を図２（ｃ）に、それぞれ示す。
【００２９】
主方向非点収差量ＡＳＹはＡＳＹ≒０であるので（図２（ｃ）参照）、バーコードＢの主方向Ｍの像は受光素子２面上でほぼ結像する（図２（ａ）参照）。一方、副方向非点収差量ＡＳＸはＡＳＸ＝−２．３であるので（図２（ｃ）参照）、バーコードＢの副方向Ｎの像は受光素子２の手前略２．３ｍｍのポイントで結像した後、拡散し、受光素子２に写される（図２（ｂ）参照）。よって、主方向Ｍにおいては焦点の合った像が、副方向Ｎにおいては焦点のずれた像が、受光素子２に写される。従って、１単位の受光素子のアスペクト比の小さい受光素子２であっても、バーコードＢの副方向（バー方向）Ｎにおけるかすれ等Ｋの悪影響を補って、バーコードＢを正確に読み取ることができる。なお、実施例２の焦点距離ＥＦＬはＥＦＬ＝１４．４１３７であるので（表２参照）、ＡＳＸ／ＥＦＬ＝−０．１６０であり、−∞＜ＡＳＸ／ＥＦＬ＜−０．１５の関係を有している。
【００３０】
【表２】
2005018306.tif 000006
表３に実施例３の読み取り用レンズ系を示すと共に、そのレンズ系のバーコードＢの主方向Ｍにおける構成図を図３（ａ）に、副方向Ｎにおける構成図を図３（ｂ）に、非点収差を図３（ｃ）に、それぞれ示す。
【００３１】
主方向非点収差量ＡＳＹはＡＳＹ≒０であるので（図３（ｃ）参照）、バーコードＢの主方向Ｍの像は受光素子２面上でほぼ結像する（図３（ａ）参照）。一方、副方向非点収差量ＡＳＸはＡＳＸ＝１．３６であるので（図３（ｃ）参照）、バーコードＢの副方向Ｎの像は受光素子２の後方略１．３６ｍｍのポイントで結像する。よって、バーコードＢの副方向Ｎの像は、受光素子２上に拡散された状態で写される（図３（ｂ）参照）。故に、主方向Ｍにおいては焦点の合った像が、副方向Ｎにおいては焦点のずれた像が、受光素子２に写される。従って、１単位の受光素子のアスペクト比の小さい受光素子２であっても、バーコードＢの副方向（バー方向）Ｎにおけるかすれ等Ｋの悪影響を補って、バーコードＢを正確に読み取ることができる。なお、実施例３の焦点距離ＥＦＬはＥＦＬ＝１４．４１３７であるので（表３参照）、ＡＳＸ／ＥＦＬ＝０．０９４であり、∞＞ＡＳＸ／ＥＦＬ＞０．０９の関係を有している。
【００３２】
【表３】
2005018306.tif 000007
表４に実施例４の読み取り用レンズ系を示すと共に、そのレンズ系のバーコードＢの主方向Ｍにおける構成図を図４（ａ）に、副方向Ｎにおける構成図を図４（ｂ）に、非点収差を図４（ｃ）に、それぞれ示す。
【００３３】
主方向非点収差量ＡＳＹはＡＳＹ≒０であるので（図４（ｃ）参照）、バーコードＢの主方向Ｍの像は受光素子２面上でほぼ結像する（図４（ａ）参照）。一方、副方向非点収差量ＡＳＸはＡＳＸ＝４．４であるので（図４（ｃ）参照）、バーコードＢの副方向Ｎの像は受光素子２の後方略４．４ｍｍのポイントで結像する。よって、バーコードＢの副方向Ｎの像は、受光素子２上に拡散された状態で写される（図４（ｂ）参照）。故に、主方向Ｍにおいては焦点の合った像が、副方向Ｎにおいては焦点のずれた像が、受光素子２に写される。従って、１単位の受光素子のアスペクト比の小さい受光素子２であっても、バーコードＢの副方向（バー方向）Ｎにおけるかすれ等Ｋの悪影響を補って、バーコードＢを正確に読み取ることができる。なお、実施例４の焦点距離ＥＦＬはＥＦＬ＝１４．３９７４であるので（表４参照）、ＡＳＸ／ＥＦＬ＝０．３０６であり、∞＞ＡＳＸ／ＥＦＬ＞０．０９の関係を有している。
【００３４】
【表４】
2005018306.tif 000008
表５に実施例５の読み取り用レンズ系を示すと共に、そのレンズ系のバーコードＢの主方向Ｍにおける構成図を図５（ａ）に、副方向Ｎにおける構成図を図５（ｂ）に、非点収差を図５（ｃ）に、それぞれ示す。
【００３５】
主方向非点収差量ＡＳＹはＡＳＹ≒０であるので（図５（ｃ）参照）、バーコードＢの主方向Ｍの像は受光素子２面上でほぼ結像する（図５（ａ）参照）。一方、副方向非点収差量ＡＳＸはＡＳＸ＝９．６であるので（図５（ｃ）参照）、バーコードＢの副方向Ｎの像は受光素子２の後方略９．６ｍｍのポイントで結像する。よって、バーコードＢの副方向Ｎの像は、受光素子２上に拡散された状態で写される（図５（ｂ）参照）。故に、主方向Ｍにおいては焦点の合った像が、副方向Ｎにおいては焦点のずれた像が、受光素子２に写される。従って、１単位の受光素子のアスペクト比の小さい受光素子２であっても、バーコードＢの副方向（バー方向）Ｎにおけるかすれ等Ｋの悪影響を補って、バーコードＢを正確に読み取ることができる。なお、実施例５の焦点距離ＥＦＬはＥＦＬ＝１１．６５７であるので（表５参照）、ＡＳＸ／ＥＦＬ＝０．８２４であり、∞＞ＡＳＸ／ＥＦＬ＞０．０９の関係を有している。
【００３６】
【表５】
2005018306.tif 000009
表６に実施例６の読み取り用レンズ系を示すと共に、そのレンズ系のバーコードＢの主方向Ｍにおける構成図を図６（ａ）に、副方向Ｎにおける構成図を図６（ｂ）に、非点収差を図６（ｃ）に、それぞれ示す。
【００３７】
主方向非点収差量ＡＳＹはＡＳＹ≒０であるので（図６（ｃ）参照）、バーコードＢの主方向Ｍの像は受光素子２面上でほぼ結像する（図６（ａ）参照）。一方、副方向非点収差量ＡＳＸはＡＳＸ＝１１であるので（図６（ｃ）参照）、バーコードＢの副方向Ｎの像は受光素子２の後方略１１ｍｍのポイントで結像する。よって、バーコードＢの副方向Ｎの像は、受光素子２上に拡散された状態で写される（図６（ｂ）参照）。故に、主方向Ｍにおいては焦点の合った像が、副方向Ｎにおいては焦点のずれた像が、受光素子２に写される。従って、１単位の受光素子のアスペクト比の小さい受光素子２であっても、バーコードＢの副方向（バー方向）Ｎにおけるかすれ等Ｋの悪影響を補って、バーコードＢを正確に読み取ることができる。なお、実施例６の焦点距離ＥＦＬはＥＦＬ＝１４．４１３７であるので（表６参照）、ＡＳＸ／ＥＦＬ＝０．７６３であり、∞＞ＡＳＸ／ＥＦＬ＞０．０９の関係を有している。
【００３８】
【表６】
2005018306.tif 000010
以上、実施例に基づき本発明を説明したが、本発明は上述した実施例に何ら限定されるものではなく、本発明の趣旨を逸脱しない範囲内で種々の改良変更が可能であることは容易に推察できるものである。
【図面の簡単な説明】
【図１】（ａ）は、実施例１の読み取り用レンズ系のバーコードの主方向における構成図であり、（ｂ）は、その読み取り用レンズ系のバーコードの副方向における構成図であり、（ｃ）は、その読み取り用レンズ系の非点収差を示した図である。
【図２】（ａ）は、実施例２の読み取り用レンズ系のバーコードの主方向における構成図であり、（ｂ）は、その読み取り用レンズ系のバーコードの副方向における構成図であり、（ｃ）は、その読み取り用レンズ系の非点収差を示した図である。
【図３】（ａ）は、実施例３の読み取り用レンズ系のバーコードの主方向における構成図であり、（ｂ）は、その読み取り用レンズ系のバーコードの副方向における構成図であり、（ｃ）は、その読み取り用レンズ系の非点収差を示した図である。
【図４】（ａ）は、実施例４の読み取り用レンズ系のバーコードの主方向における構成図であり、（ｂ）は、その読み取り用レンズ系のバーコードの副方向における構成図であり、（ｃ）は、その読み取り用レンズ系の非点収差を示した図である。
【図５】（ａ）は、実施例５の読み取り用レンズ系のバーコードの主方向における構成図であり、（ｂ）は、その読み取り用レンズ系のバーコードの副方向における構成図であり、（ｃ）は、その読み取り用レンズ系の非点収差を示した図である。
【図６】（ａ）は、実施例６の読み取り用レンズ系のバーコードの主方向における構成図であり、（ｂ）は、その読み取り用レンズ系のバーコードの副方向における構成図であり、（ｃ）は、その読み取り用レンズ系の非点収差を示した図である。
【図７】（ａ）は、実施例１の読み取り対象となるバーコードを示した図であり、（ｂ）は、実施例１の読み取り用レンズ系にて読み取られた結果、受光素子に写されるバーコードの像を示した図である。
【図８】（ａ）は、従来例の読み取り対象となるバーコードを示した図であり、（ｂ）は、従来例の読み取り用レンズ系にて読み取られた結果、受光素子に写されるバーコードの像を示した図である。
【符号の説明】
１          読み取り用レンズ
２          受光素子
ＡＳＰ      回転対称非球面
ＡＳＸ      副方向非点収差量
ＡＳＹ      主方向非点収差量
Ｂ          バーコード
Ｋ          かすれ等
Ｍ          バーコードの主方向（バーと直交する方向）
Ｎ          バーコードの副方向（バーの高さ方向）
ＳＲ        球面
ＳＴＯ      開口絞り面
ＸＹＰ      回転非対称非球面
【図１】
2005018306.tif 000011
【図２】
2005018306.tif 000012
【図３】
2005018306.tif 000013
【図４】
2005018306.tif 000014
【図５】
2005018306.tif 000015
【図６】
2005018306.tif 000016
【図７】
2005018306.tif 000017
【図８】
2005018306.tif 000018